【手続補正書】
【提出日】平成17年9月27日(2005.9.27)
【手続補正１】
【補正対象書類名】明細書
【補正対象項目名】特許請求の範囲
【補正方法】変更
【補正の内容】
【特許請求の範囲】
【請求項１】  ９０〜６０重量％のポリトリメチレンエーテルエステル軟セグメントと、１０〜４０重量％のテトラメチレンエステル硬セグメントと、を含むことを特徴とするポリエーテルエステルエラストマー。
【請求項２】  硬セグメント対軟セグメントのモル比が２．０〜４．５の範囲であり、１．４〜２．４ｄｌ／ｇの内部粘度を有することを特徴とする請求項１に記載のポリエーテルエステル。
【請求項３】  ポリトリメチレンエーテルグリコールの数平均分子量が１，０００〜５，０００であることを特徴とする請求項１または２に記載のポリエーテルエステル。
【請求項４】  以下の構造：
【化１】
2005507967.tif 000001
によって表される軟セグメントと、
以下の構造：
【化２】
2005507967.tif 000002
によって表される硬セグメントと、
を含むことを特徴とするポリエーテルエステル。
（式中、ｘが１７〜８６であり、ＲおよびＲ’は同一であっても異なっていてもよく、ジカルボン酸等価物からカルボキシル官能基を除去した後に残る二価基である。）
【請求項５】  繊維の形態であることを特徴とする請求項１〜４のいずれかに記載のポリエーテルエステル。
【請求項６】  （ａ）ポリトリメチレンエーテルグリコールと、（ｂ）１，４−ブタンジオールと、（ｃ）ジカルボン酸、エステル、酸塩化物または酸無水物を提供し、および反応させることによって請求項１〜５のいずれかに記載のポリエーテルエステルを調製する方法。
【請求項７】  ポリトリメチレンエーテルエステル軟セグメントを形成するために使用される重合性エーテルグリコールの少なくとも８５重量％がポリトリメチレンエーテルグリコールであり、テトラメチレンエステル硬セグメントを形成するために使用されるジオールの少なくとも８５モル％が１，４−ブタンジオールであり、かつ、ジカルボン酸、エステル、酸塩化物または酸無水物の少なくとも８５モル％がテレフタル酸およびテレフタル酸ジメチルよりなる群から選択されることを特徴とする請求項６に記載の方法。
【請求項８】  ポリトリメチレンエーテルグリコールとポリテトラメチレンエステルを提供し、および反応させることによって調製される請求項１〜５のいずれかに記載のポリエーテルエステルを調製する方法。
【手続補正２】
【補正対象書類名】明細書
【補正対象項目名】０１２２
【補正方法】変更
【補正の内容】
【０１２２】
本発明の実施態様の前開示は例示および説明のために示された。網羅的であることも、開示されたまさにその形態に本発明を限定することも意図されない。本明細書に記載した実施態様の多くの変化および変更が、前記の開示を考慮して当業者に明らかであろう。本発明の範囲は、添付の特許請求の範囲およびその等価物によってのみ限定されなければならない。
なお、本発明は、特許請求の範囲に記載された発明を含め、以下の発明を包含する。
（１）  約９０〜約６０重量％のポリトリメチレンエーテルエステル軟セグメントと、約１０〜約４０重量％のテトラメチレンエステル硬セグメントと、を含むことを特徴とするポリエーテルエステルエラストマー。
（２）  約８５〜約７０重量％のポリトリメチレンエーテルエステル軟セグメントと、約１５〜約３０重量％のテトラメチレンエステル硬セグメントと、を含むことを特徴とする（１）に記載のポリエーテルエステル。
（３）  約８２〜約７４重量％のポリトリメチレンエーテルエステル軟セグメントと、約１８〜約２６重量％のテトラメチレンエステル硬セグメントと、を含むことを特徴とする（１）に記載のポリエーテルエステル。
（４）  硬セグメント対軟セグメントのモル比が約２．０〜約４．５の範囲であることを特徴とする（１）〜（３）のいずれかに記載のポリエーテルエステル。
（５）  硬セグメント対軟セグメントのモル比が約２．５〜約４．０の範囲であることを特徴とする（４）に記載のポリエーテルエステル。
（６）  約１．４〜約２．４ｄｌ／ｇの内部粘度を有することを特徴とする（１）〜（５）のいずれかに記載のポリエーテルエステル。
（７）  （ａ）ポリトリメチレンエーテルグリコールと、（ｂ）１，４−ブタンジオールと、（ｃ）ジカルボン酸、エステル、酸塩化物または酸無水物を提供し、および反応させることによって調製されることを特徴とする（１）〜（６）のいずれかに記載のポリエーテルエステル。
（８）  ポリトリメチレンエーテルエステル軟セグメントを形成するのに用いられる重合性エーテルグリコールの少なくとも８５重量％がポリトリメチレンエーテルグリコールであり、テトラメチレンエステル硬セグメントを形成するのに用いられるジオールの少なくとも８５モル％が１，４−ブタンジオールであり、ジカルボン酸、エステル、酸塩化物または酸無水物の少なくとも８５モル％がテレフタル酸およびテレフタル酸ジメチルからなる群より選択されることを特徴とする（７）に記載のポリエーテルエステル。
（９）  ポリトリメチレンエーテルグリコールの数平均分子量が少なくとも約１，０００であることを特徴とする（７）または（８）に記載のポリエーテルエステル。
（１０）  ポリトリメチレンエーテルグリコールの数平均分子量が約５，０００未満であることを特徴とする（７）、（８）、または（９）に記載のポリエーテルエステル。
（１１）  ポリトリメチレンエーテルグリコールの数平均分子量が約１，５００〜約３，５００の範囲であることを特徴とする（９）に記載のポリエーテルエステル。
（１２）  ポリトリメチレンエーテルグリコールとポリテトラメチレンエステルを提供し、および反応させることによって調製されることを特徴とする（１）〜（６）のいずれかに記載のポリエーテルエステル。
（１３）  以下の構造：
【化３】
2005507967.tif 000003
によって表される軟セグメントと、
以下の構造：
【化４】
2005507967.tif 000004
によって表される硬セグメントと、
を含むことを特徴とするポリエーテルエステル。
（式中、ｘが約１７〜約８６であり、ＲおよびＲ’は同一であっても異なっていてもよく、ジカルボン酸等価物からカルボキシル官能基を除去した後に残る二価基である。）
（１４）  繊維の形態であることを特徴とする（１）〜（１３）のいずれかに記載のポリエーテルエステル。
（１５）  （１）〜（１３）のいずれかに記載のポリエーテルエステルを含む繊維を含むことを特徴とする布地。
（１６）  （ａ）ポリトリメチレンエーテルグリコールと、（ｂ）１，４−ブタンジオールと、（ｃ）ジカルボン酸、エステル、酸塩化物または酸無水物を提供し、および反応させることによって（１）〜（１３）のいずれかに記載のポリエーテルエステルを調製する方法。
（１７）  ポリトリメチレンエーテルグリコールとポリテトラメチレンエステルを提供し、および反応させることによって調製される（１）〜（１３）のいずれかに記載のポリエーテルエステルを調製する方法。
（１８）  ポリトリメチレンエーテルエステル軟セグメントを形成するために使用される重合性エーテルグリコールの少なくとも８５重量％がポリトリメチレンエーテルグリコールであり、テトラメチレンエステル硬セグメントを形成するために使用されるジオールの少なくとも８５モル％が１，４−ブタンジオールであり、かつ、ジカルボン酸、エステル、酸塩化物または酸無水物の少なくとも８５モル％がテレフタル酸およびテレフタル酸ジメチルよりなる群から選択されることを特徴とする（１６）に記載の方法。